(57)【要約】【課題】１種類の接続端子で、接続端子を接続する基板の２箇所の接続位置間の距離の違いに対応できる接続端子を提供する。【解決手段】接続端子10は、端子組13および固定部14を備える。端子組13は、基板に接続される第１接続部21を有する第１端子板11、および基板に接続される第２接続部41を有する第２端子板12を備える。第１接続部21と第２接続部41との間の距離を調整可能に、第１端子板11と第２端子板12とが組み合わされる。固定部14は、第１端子板11と第２端子板12とを連結固定する。【選択図】図１
2018133465.tif 000002
【特許請求の範囲】
【請求項１】
基板に接続される第１接続部を有する第１端子板、および前記基板に接続される第２接続部を有する第２端子板を備え、前記第１接続部と前記第２接続部との間の距離を調整可能に前記第１端子板と前記第２端子板とが組み合わされる端子組と、
前記第１端子板と前記第２端子板とを連結固定する固定部と
を備えることを特徴とする接続端子。
【請求項２】
前記第１端子板および前記第２端子板の少なくともいずれか一方は、前記第１接続部と前記第２接続部との間の距離を調整する調整方向に沿って長いとともに前記固定部が挿通する長孔を有する
ことを特徴とする請求項１記載の接続端子。
【請求項３】
前記第１端子板および前記第２端子板の少なくともいずれか一方は、前記第１接続部と前記第２接続部との間の距離を調整する調整方向に沿って前記第１端子板と前記第２端子板とをスライド可能に保持する保持部を有する
ことを特徴とする請求項１または２記載の接続端子。
【請求項４】
前記第１端子板と前記第２端子板とは、前記固定部を中心として、前記第１端子板と前記第２端子板とが互いに平行となる組み合わせ状態と、前記第１端子板と前記第２端子板とが互いに交差する組み合わせ状態とに、切り換え可能とする
ことを特徴とする請求項１ないし３いずれか一記載の接続端子。
【請求項５】
前記第１端子板は、第１ねじ孔を有し、
前記第２端子板は、第２ねじ孔を有する
ことを特徴とする請求項１ないし４いずれか一記載の接続端子。
【発明の詳細な説明】
【技術分野】
【０００１】
本発明は、基板上に搭載される接続端子に関する。
【背景技術】
【０００２】
従来、大きな電流が流れる配線装置では、金属板によって形成される電路を用い、この電路を絶縁体で覆うようにした基板が用いられている。このような基板では、回路の交差を避けるために、ジャンパー端子と呼ばれる接続端子を基板上に実装することが行われている。
【０００３】
この接続端子は、１枚の金属板で構成されており、両端に基板に接続するための接続部が設けられている。そして、基板の２箇所の接続位置に接続端子の各接続部を接続し、２箇所の接続位置間を基板上に搭載される接続端子で電気的に接続するようにしている（例えば、特許文献１参照。）。
【０００４】
このような接続端子は、両端の接続部間の距離が一定であるため、基板に設けられる２箇所の接続位置間の距離の違いに対応できない。そのため、基板に設けられる２箇所の接続位置間の距離の違いに対応して、両端の接続部間の長さの異なる複数種類の接続端子を用意しなければならなかった。
【０００５】
さらに、用意された複数種類の長さの接続端子でも、基板に設けられる２箇所の接続位置間の距離に合わない場合には、使用できない不都合がある。
【先行技術文献】
【特許文献】
【０００６】
【特許文献１】特開２０１０−６２２４９号公報
【発明の概要】
【発明が解決しようとする課題】
【０００７】
本発明は、１種類の接続端子で、接続端子を接続する基板の２箇所の接続位置間の距離の違いに対応できる接続端子を提供することを目的とする。
【課題を解決するための手段】
【０００８】
請求項１記載の接続端子は、基板に接続される第１接続部を有する第１端子板、および前記基板に接続される第２接続部を有する第２端子板を備え、前記第１接続部と前記第２接続部との間の距離を調整可能に前記第１端子板と前記第２端子板とが組み合わされる端子組と、前記第１端子板と前記第２端子板とを連結固定する固定部とを備えるものである。
【０００９】
請求項２記載の接続端子は、請求項１記載の接続端子において、前記第１端子板および前記第２端子板の少なくともいずれか一方は、前記第１接続部と前記第２接続部との間の距離を調整する調整方向に沿って長いとともに前記固定部が挿通する長孔を有するものである。
【００１０】
請求項３記載の接続端子は、請求項１または２記載の接続端子において、前記第１端子板および前記第２端子板の少なくともいずれか一方は、前記第１接続部と前記第２接続部との間の距離を調整する調整方向に沿って前記第１端子板と前記第２端子板とをスライド可能に保持する保持部を有するものである。
【００１１】
請求項４記載の接続端子は、請求項１ないし３いずれか一記載の接続端子において、前記第１端子板と前記第２端子板とは、前記固定部を中心として、前記第１端子板と前記第２端子板とが互いに平行となる組み合わせ状態と、前記第１端子板と前記第２端子板とが互いに交差する組み合わせ状態とに、切り換え可能とするものである。
【００１２】
請求項５記載の接続端子は、請求項１ないし４いずれか一記載の接続端子において、前記第１端子板は、第１ねじ孔を有し、前記第２端子板は、第２ねじ孔を有するものである。
【発明の効果】
【００１３】
本発明の接続端子によれば、１種類の接続端子で、この接続端子を接続する基板の２箇所の接続位置間の距離の違いに対応できる。
【図面の簡単な説明】
【００１４】
【図１】本発明の一実施の形態を示す接続端子の斜視図である。
【図２】同上接続端子の最長時の斜視図である。
【図３】同上接続端子の最長時の側面図である。
【図４】同上接続端子の最短時の斜視図である。
【図５】同上接続端子の最短時の側面図である。
【図６】同上接続端子の別の使用例を示す斜視図である。
【図７】同上接続端子のさらに別の使用例を示す接続端子の最長時の斜視図である。
【図８】同上接続端子のさらに別の使用例を示す接続端子の最短時の斜視図である。
【発明を実施するための形態】
【００１５】
以下、本発明の一実施の形態を、図面を参照して説明する。
【００１６】
図１に示すように、接続端子10は、可変長式ジャンパー端子である。接続端子10は、第１端子板11および第２端子板12を有する端子組13、および第１端子板11と第２端子板12とを連結固定する固定部14を備えている。なお、以下、接続端子10の長手方向の一端側を第１端子板11および第２端子板12のそれぞれの一端側と呼び、接続端子10の長手方向の他端側を第１端子板11および第２端子板12のそれぞれの他端側と呼ぶ。
【００１７】
そして、第１端子板11は、導電性を有する金属板によって形成されている。第１端子板11は、細長い長板部20、この長板部20の一端から長板部20の裏面側に向けて略直角に折曲された第１接続部21、および長板部20の他端から長板部20の裏面側に向けて略直角に折曲された支え部22を有している。
【００１８】
長板部20の他端側には、雌ねじが形成された連結孔23を有するボス部24が長板部20の裏面側に突出するように設けられている。長板部20の一端側には、雌ねじが形成された第１ねじ孔25を有するボス部26が長板部20の裏面側に突出するように設けられている。
【００１９】
長板部20の他端側には、連結孔23を中心とした長板部20の幅方向の両側位置に、長板部20の幅方向の両側縁部から長板部20の表面側へ向けて略直角に折曲された一対の保持部27が設けられている。一対の保持部27の互いに対向する面には長板部20の長手方向に沿って平面状のガイド面28が形成されている。これらガイド面28間の距離は、第２端子板12を配置できるように第２端子板12の幅寸法よりも少し大きい寸法に設けられている。長板部20の長手方向に沿った保持部27の幅は、連結孔23の直径よりも少し小さい寸法に設けられている。
【００２０】
第１接続部21の先端には、長板部20から突出寸法が支え部22と同じで基板の表面に当接される支え面29が設けられているとともに、この支え面29よりも突出して基板に挿入される挿入部30が設けられている。
【００２１】
また、第２端子板12は、導電性を有する金属板によって形成されており、細長い長板部40、およびこの長板部40の他端から長板部40の裏面側に向けて略直角に折曲された第２接続部41を有している。
【００２２】
長板部40の一端側から他端側近傍に亘って、長板部40の長手方向に沿って長いとともに固定部14が挿通される長孔42が設けられている。長板部40の他端側には、雌ねじが形成された第２ねじ孔43を有するボス部44が長板部40の裏面側に突出するように設けられている。
【００２３】
第２接続部41の先端には、基板の表面に当接される支え面45が設けられているとともに、この支え面45よりも突出して基板に挿入される挿入部46が設けられている。支え面45の長板部40からの突出寸法は、第１端子板11における支え面29の長板部20からの突出寸法に長板部40の板厚寸法を加えた寸法に設けられている。
【００２４】
また、固定部14は、金属製のねじ50を有している。ねじ50はワッシャ51を組み合わせて用いられている。
【００２５】
そして、接続端子10は、第１端子板11の一対の保持部27間に第２端子板12の長板部40が嵌め込まれるとともに、第１端子板11の長板部20の表面側に第２端子板12の長板部40の裏面側が重ね合わされ、さらに、ねじ50が第２端子板12の長孔42を通じて第１端子板11の連結孔23に螺着されて組み立てられている。
【００２６】
ねじ50を緩めた状態では、第１端子板11と第２端子板12とが長手方向に沿ってスライド可能とする。つまり、第１接続部21と第２接続部41との間の距離ｘを長手方向である調整方向に沿って任意に調整可能としている。調整範囲は、ねじ50に対して第２端子板12の長孔42がスライド可能とする範囲である。
【００２７】
図３および図５に、接続端子10を適用する基板60を示す。基板60には、接続端子10によって電気的に接続する２箇所の接続位置61，62があり、これら接続位置61，62には各端子板11，12の各接続部21，41の先端から突出する挿入部30，46がそれぞれ挿入される挿入孔63，64が形成されている。
【００２８】
そして、図２および図３に、基板60の２箇所の接続位置61，62の間の距離が長い場合に対応した接続端子10を示す。この場合、接続端子10は、第１接続板11と第２端子板12との重なり量が少なくなるように伸長されている。ねじ50の締め付けにより、第１端子板11と第２端子板12とが連結固定されている。
【００２９】
各端子板11，12の各接続部21，41の先端から突出する挿入部30，46が、基板60の各挿入孔63，64にそれぞれ挿入されているとともに、基板60の電路等に対してはんだ付けや溶接等によって電気的に接続される状態で固定されている。なお、挿入部30，46が基板60の各挿入孔63，64にそれぞれ挿入された接続端子10の長さ調整状態で、ねじ50を締め付け、第１端子板11と第２端子板12とを連結固定してもよい。
【００３０】
第１端子板11は第１接続部21の支え面29および支え部22が基板60の表面に当接し、長板部20が基板60の表面と平行となるように支持されている。
【００３１】
第２端子板12は、長板部40の一端側が第１端子板11の長板部20上に載置されるとともに第２接続部41の支え面45が基板60の表面に当接し、長板部40が第１端子板11の長板部20および基板60の表面と平行となるように支持されている。
【００３２】
また、図４および図５に、基板60の２箇所の接続位置61，62の間の距離が短い場合に対応した接続端子10を示す。この場合、接続端子10は、第１接続板11と第２端子板12との重なり量が多くなるように短縮されている。ねじ50の締め付けにより、第１端子板11と第２端子板12とが連結固定されている。
【００３３】
第１端子板11および第２端子板12の基板60に対する支持状態は上述と同様である。
【００３４】
このように、接続端子10によれば、１種類の接続端子10で、この接続端子10を接続する基板60の２箇所の接続位置61，62間の距離の違いに対応できる。
【００３５】
第２端子板12は固定部14が挿通する長孔42を有し、第１端子板11と第２端子板12とが長さの調整方向にスライド可能としているため、第１接続部21と第２接続部41との間の距離ｘを任意に調整することができ、基板60の２箇所の接続位置61，62間の距離の違いに対応できる。
【００３６】
なお、第２端子板12の長孔42に代えて、第２端子板12の長手方向に沿って複数の挿通孔を設け、固定部14が挿通する挿通孔を選択することにより、接続端子10の長さを調整するようにしてもよい。
【００３７】
また、第１端子板11の両側に第２端子板12を長さの調整方向にスライド可能に保持する一対の保持部27を設けているため、第１端子板11と第２端子板12とを直線状に保ったまま伸縮させることができる。
【００３８】
また、第１端子板11が支え部22を有し、この支え部22が基板60の表面に当接するため、図２および図３に示すように、接続端子10を伸長させた場合でも、接続端子10の中間部が振れるのを防止できる。
【００３９】
次に、図６に接続端子10の他の使用例を示す。
【００４０】
第１端子板11と第２端子板12とがＬ字状に直交するように組み合わされている。第１端子板11の一方の保持部27が第２端子板12の長孔42に挿通された状態で、固定部14が第２端子板12の長孔42を通じて第１端子板11の連結孔23に螺着されている。
【００４１】
そして、Ｌ字形に組み合わせた接続端子10は、基板60の２箇所の接続位置61，62間の直線上に障害物がある場合、この障害物を避けて２箇所の接続位置61，62間を接続することができる。
【００４２】
第１端子板11の保持部27が第２端子板12の長孔42に挿通されることにより、第１端子板11と第２端子板12とが直交する状態を維持することができる。
【００４３】
また、第１端子板11の一対の保持部27が第２端子板12の長孔42に挿通させることにより、第２端子板12を長孔42に沿ってスライドさせることができ、基板60の２箇所の接続位置61，62の違いにも対応できる。
【００４４】
なお、第１端子板11の保持部27は設けなくてもよく、この場合、第１端子板11と第２端子板12との角度を任意に調整することができるとともに、基板60の２箇所の接続位置61，62の違いにも柔軟に対応できる。
【００４５】
次に、図７および図８に接続端子10のさらに他の使用例を示す。
【００４６】
例えば電線70，71を用いて基板60の回路を電気的に分岐するような場合に、接続端子10を可変長式ねじ端子として使用することができる。
【００４７】
この場合、接続端子10を基板60に接続するとともに、接続端子10に電線70，71を接続する。接続端子10の基板60への接続は上述した通りである。
【００４８】
電線70，71の先端に設けられた圧着端子72，73を挿通するねじ74，75を各端子板11の各ねじ孔25，43に螺着し、各圧着端子72，73を各端子板11，12に電気的に接続した状態に固定する。
【００４９】
この接続端子10により、基板60の２箇所の接続位置61，62の違いに対応できるとともに、電線70，71の接続にも対応できる。
【００５０】
なお、第１端子板11の連結孔23に代えて、第１端子板11の長手方向に沿って長いとともに固定部14が挿通する長孔を設けてもよい。この場合、固定部14は、第２端子板12の長孔42および第２端子板12の長孔を挿通するねじ50と、このねじ50が螺着するナットとを用いればよい。
【００５１】
また、保持部27は、第２端子板12に設けてもよく、あるいは第１端子板11と第２端子板12の両方に設けてよい。
【００５２】
また、固定部14は、ねじ50に限らず、第１端子板11と第２端子板12とを結合固定できれば他の構造でもよく、あるいは長さ調整後に第１端子板11と第２端子板12と溶接等で固定してもよい。
【符号の説明】
【００５３】
10    接続端子
11    第１端子板
12    第２端子板
13    端子組
14    固定部
21    第１接続部
25    第１ねじ孔
41    第２接続部
42    長孔
43    第２ねじ孔
60    基板
【図１】
2018133465.tif 000003
【図２】
2018133465.tif 000004
【図３】
2018133465.tif 000005
【図４】
2018133465.tif 000006
【図５】
2018133465.tif 000007
【図６】
2018133465.tif 000008
【図７】
2018133465.tif 000009
【図８】
2018133465.tif 000010